Podtech/llm-jp-corpus-v4-ja_patent huggingface dataset:
(57)【要約】【課題】  本考案はモップ収納箱に埃取り装置を取り付け衛生的に収納し、かつ斜めにモップを収納することで収納時の床占有面積を小さくする。【解決手段】  本考案はモップ収納箱１内部に斜め格子の網９をストッパー７，８で斜面に固定することにより、モップ１０を小さい床占有面積で収納できるとともに、埃を落とす時の抵抗を小さくすることができ、埃を落とした衛生的な状態で収納することに役立つ。【選択図】図１
0003131381.tif 000002
【実用新案登録請求の範囲】
【請求項１】
モップの埃取りと収納を目的とした箱で、垂直方向に対して斜めの格子網が設置された箱にモップを入れ、上下に動かすことで、下部に設置された引き出しに埃が落ち、不衛生な埃も引き出しを取り出し、捨てることで埃が飛び散らず、網自体も斜めに設置されているので、収納時に底面積が狭く場所をとらないことを特徴とするモップ収納箱
【考案の詳細な説明】
【技術分野】
【０００１】本考案はモップを収納すると同時に埃取りの機能も兼ねたモップ収納箱である。
【背景技術】
【０００２】  モップは埃を取るには便利であるが、収納時埃が付いたまま床に置くのは非常に不衛生である。
【考案の開示】
【考案が解決しようとする課題】
【０００３】  モップの収納時、床に置くと、場所も取るし不衛生である。埃は収納前に掃除機で吸い取ってもよいが、「簡単に埃を取る」というモップの良さが活きてこない。そこで収納時に埃を落とし、かつ埃落としの網を斜めに設置することで床の占有面積を小さくすることにより、前述のふたつの欠点を解決しようとするものである。
【課題を解決するための手段】
【０００４】  本考案は、モップを収納する箱の下部に斜めに設置した網を設置することにより、モップに付いた埃を簡単にこすり落とし、かつ収納時の床占有面積を小さくすることにより、問題を解決している。
【考案の効果】
【０００５】  上述の様に、本考案のモップ収納箱はモップを収納することは勿論、埃取りの網を設置したので、埃を落とすことができ、しかもモップ収納のための場所も床に直接置くより狭くて済む。
【考案を実施するための最良の形態】
【０００６】  モップ収納箱の蓋板は蝶番の付いている辺と対する辺の中央から中心部分にかけてモップの直径より少し長い幅でスリットがある。蓋を開けると斜め網が設置されている。その網は通常の格子ではなく斜めの格子になっており、モップをこすりつけた時の抵抗を少なくするが、埃を落とすという効果は減少しない。収納箱の下部は引き出しになっており、たまった埃を随時捨てることができ、衛生的である。網を斜めに設置したことにより、埃を取るとき重力を使い、平行にこするより力が要らないだけでなく、収納箱自体の底面積を小さくすることができた。【０００７】  １，２，４は耐久性のプラスチック等適宣素材にて形成されたモップ収納箱の、本体、蓋、引き出しである。蓋２は蝶番３にて本体１に蝶着しており、開閉を可能にする。引き出し４は本体１の下部内部に設置され、取っ手５により引き出せるようになっている。【０００８】  ６，７，８は内部に設置された網９が動かないようにするストッパーＡ、ストッパーＢ、ストッパーＣである。モップ１０を網に押し付け上下した時、ストッパーＡ６は上に網が上がらないようにする。ストッパーＢ７とストッパーＣ８は網が下に落ちないようにし、かつ網を適度な斜めに保つ。【０００９】  網９はステンレス等錆びない金網が適宣で５センチ間隔の大きな目地で構成され、埃を落とすのに良い大きさである。【００１０】  蓋２は、モップ１０をモップ収納箱本体１に入れた時に網９に斜めにのせられ、蓋２を閉めた時、モップの柄が蓋２のスリットの中央部に寄りかかる形で倒れないよう構成されている。
【図面の簡単な説明】
【００１１】
【図１】モップ収納箱を示しモた断面図である。
【図２】モップ収納箱が開いた状態を示した断面図である。
【図３】モップ収納箱を示した斜視図である。
【図４】モップ収納箱が開いた状態を示した斜視図である。
【図５】モップ収納箱内部に設置された網を示した正面図である。
【図６】モップの斜視図である。
【符号の説明】
【００１２】  １  モップ収納箱本隊
２  モップ収納箱の蓋
３  蓋を本体に蝶着する蝶番
４  引き出し
５  引き出しの取っ手
６  ストッパーＡ
７  ストッパーＢ
８  ストッパーＣ
９  網
１０  モップ（使用時を説明するため）
【図１】
0003131381.tif 000003
【図２】
0003131381.tif 000004
【図３】
0003131381.tif 000005
【図４】
0003131381.tif 000006
【図５】
0003131381.tif 000007
【図６】
0003131381.tif 000008
(57)【要約】      （修正有）【課題】爪楊枝が減少しても整理ができ、爪楊枝を他の容器に移し替える必要を省く。【解決手段】爪楊枝容器１の内部中心にロール状の閉巻込軸３を設けてこの巻込されたロールは、爪楊枝４が減少してゆく段階で自動的に外側に放射状に広がり、爪楊枝が乱雑するのを容器の中心より整理出来るようにする。【選択図】図１
0003131331.tif 000002
【実用新案登録請求の範囲】
【請求項１】
爪楊枝を柱状に束ねて収納した筒状容器であって、その内部の中心にロール状の巻込軸を設けてこの巻込ロールは外側に向かって自動的に放射状に広がるところを特徴とする爪楊枝整理容器。
【考案の詳細な説明】
【技術分野】
【０００１】本考案は、食事時に使用される爪楊枝の容器に関するものである。
【背景技術】
【０００２】従来爪楊枝容器は爪楊枝が減少していくと乱雑になり整理ができない。
【考案の開示】
【考案が解決しようとする課題】
【０００３】本考案は、爪楊枝容器内の爪楊枝を整理することにより、前述の欠点を解決しようとするものである。
【課題を解決するための手段】
【０００４】本考案は、爪楊枝容器の内部中心にロール状の閉巻込軸を設けてこの巻込されたロールは、爪楊枝が減少してゆく段階で自動的に外側に放射状に広がり、爪楊枝が乱雑するのを容器の中心より整理出来ることで課題を解決したものである。
【考案の効果】
【０００５】上述の様に爪楊枝容器は、爪楊枝が使用され減少されていくと容器の中が乱雑になり倒れ込みによる爪楊枝を整理でき取り出しやすい。
【考案を実施するための最良の形態】
【０００６】本考案は、紙、プラスチック等の素材で筒状に加工されており、筒状の容器の中心に巻込軸ロールが設けられ爪楊枝を整理することができる。
【実施例】
【０００７】本考案の容器は、爪楊枝が減少しても整理ができ、爪楊枝を他の容器に移し替える必要が省ける。
【図面の簡単な説明】
【０００８】
【図１】閉巻込ロール整理容器である。
【図２】開巻込ロール整理容器である。
【符号の説明】
【０００９】１容器
２容器蓋
３閉巻込ロール
４全収納爪楊枝
５開巻込ロール
６整理された爪楊枝
【図１】
0003131331.tif 000003
【図２】
0003131331.tif 000004
(57)【要約】      （修正有）【課題】入浴時に簡単にシャワーヘッドを利用してツボ押マッサージを行う事が出来、ツボ押部に温水を散水することで入浴中に打たせ湯効果とマッサージ効果を味わえるシャワーヘッドを提供する。【解決手段】従来のシャワーヘッドの取手部又は散水ヘッドにツボ押突起を取手部とほぼ平行に取付ける事で入浴中容易に打たせ湯気分を楽しむ事が出来る。【選択図】図１
0003131336.tif 000002
【実用新案登録請求の範囲】
【請求項１】
浴室用シャワーヘッドの取手部３にツボ押し突起４を取手部３と一体でほぼ平行に成るように取付けその上部に散水ヘッド６を配置せしめ、取手部３と散水ヘッドの取付け部５は角度可動式で散水ヘッド６は散水方向を自由に変えられツボ押部に散水することも可能な特徴を持つツボ押機能付きシャワーヘッド。
【請求項２】
浴室用シャワーヘッドの散水ヘッド８と一体構造として下側にツボ押し突起７を取手部３の中心とほぼ平行になる様下向きに取付け取手部３を動かす事でツボ押突起７も同じ方向に動き力の無駄も無く目的の場所をツボ押し出来る事を特徴とするツボ押機能付きシャワーへッド。
【請求項３】
取手部３にバネ効果の有る弾力性を持たせツボ押し時にバネ効果に依る強弱を加える事でマッサージ効果を高める事も可能な特徴を持つ請求項１，２のツボ押機能付きシャワーヘッド。
【請求項４】
ツボ押突起７の先端部のみ形状を変える事でツボ押部に入るマッサージ力を変化させることが出来、よりマッサージ効果を高める事も可能な特徴を持つ請求項１，２、３のツボ押機能付きシャワーヘッド。
【請求項５】
ツボ押用として散水面突起９を散水面とほぼ直角に１箇所以上複数個取付け、単独又はツボ押突起４又はツボ押突起７と一体に取付ける事も可能で、ツボ押方法、ツボ押場所の範囲を広げる事を可能とする特徴を持つ請求項１，２、３、４のツボ押機能付きシャワーヘッド。
【考案の詳細な説明】
【技術分野】
【０００１】本考案は浴室用のシャワーヘッドにシャワー機能の他にツボ押用の突起を設け入浴中にツボ押及び打たせ湯の機能を兼備えた多機能型シャワーヘッドである。
【背景技術】
【０００２】入浴時に体の凝った箇所の簡単なマッサージを行うには必要な箇所を手でマッサージを行う方法が一般的で手以外の方法で簡単にマッサージ効果を揚げる器具は存在するが、現在一般的に使用されている入浴用シャワーヘッドにツボ押し用の突起を設けツボ押しと同時にシャワーを行い打たせ湯効果を行うシャワーヘッドは現在無い。
【考案の開示】
【考案が解決しようとする課題】
【０００３】入浴中体の凝った部分をマッサージ効果の有るツボ押しと同時にシャワー水をツボ押箇所に散水させ打たせ湯効果とマッサージ効果を持たせたシャワーヘッドを提供することを課題とする。
【課題を解決するための手段】
【０００４】現在一般的に使用されているシャワーヘッドの一部の箇所にツボ押用の突起を設け突起の先端に向かってシャワー水を散水可能なように散水ヘッド部が自在に角度変化する構造とする。
【考案の効果】
【０００５】入浴中にリラックスした状態で体の凝った場所をツボ押しと、打たせ湯的な効果を発揮しマッサージ効果で入浴効果向上させることが出来る。【０００６】取手部の長さを変える事、取手部に弾力性を持たせる事でツボ押部への力が入り易くなりマッサージ効果が増加する。
【考案を実施するための最良の形態】
【０００７】以下に本考案にかかるツボ押機能付きシャワーヘッドの好適な実施形態を添付図参照しながら詳述する。図１はシャワーヘッドの取手部３にツボ押用突起４を設けた構造の概要図である。取手部３の中間部に取手部３の中心線とほぼ平行に突起４を設ける。取手３の先端部には散水ヘッド６が取り付けられ角度可動部５により散水ヘッド６は自由に動かすことが出来る。ツボ押中は散水ヘッド６をツボ押部の上部より散水する事も可能である。ツボ押以外の時は散水ヘッド６を必要な方向に向け従来のシャワーヘッドとして使用する。【０００８】図２はツボ押用突起７を散水ヘッド部５に取付けた構造である。ツボ押用突起７の取付け方向は取手部３の中心線とほぼ平行と成る様に取り付けられる。取手部３の運動方向と突起７の運動方向は同じ動きでありツボ押時、手の動きが直接突起７に作用し無駄が少ない。【０００９】図１，２共シャワーヘッドは従来使用されているホースと取付けの互換性がありシャワーヘッド部のみの取替えが可能でホース接続部２の箇所から取外し取替えを行う。【００１０】散水面に散水面突起９を取付け散水ヘッドを手に持ち散水しながら散水面突起９によりツボ押を行うことでツボ押範囲が広がりより効果の高いマッサージが出来る。
【図面の簡単な説明】
【００１１】
【図１】シャワーヘッド取手部にツボ押突起を取付けた構造の概要図である。
【図２】シャワーヘッドの散水ヘッド部にツボ押突起を取付けた概要図である。
【符号の説明】
１  給水ホース
２  ホース接続部
３  取手部
４  ツボ押突起
５  角度可動部
６  散水ヘッド
７  ツボ押突起
８  散水ヘッド
９  散水面突起
【図１】
0003131336.tif 000003
【図２】
0003131336.tif 000004
(57)【要約】【課題】夜間犬等を散歩させている人が大勢いる。街灯等がない暗い場所で犬を散歩させている人に出くわした場合、犬が見えなかったり、牽いているリードが見えなかったりして、リードに絡まったりして大変危険である。人が犬を連れて歩いているのがわかるようにする。【解決手段】本考案は上記にかんがみ、夜間犬を散歩させている人の犬のリードに光を当てると、リード上に光を反射させる物体を付けることにより、リードが光を反射するので、光を発射した者に対し、犬とリードの位置を知らせることができるのでリードに絡まることが防げる。【選択図】図１
0003131333.tif 000002
【実用新案登録請求の範囲】
【請求項１】
リード上に蛍光塗料等、光に反射する物体を付けていることを特徴としたリード
【考案の詳細な説明】
【技術分野】
【０００１】  本考案は、夜間犬の散歩をしている時に暗い場合でも犬を連れていることのわかるリードに関するものである。
【背景技術】
【０００２】  夜間犬の散歩をしている人と出くわした時、暗くて犬およびリードが見えず、リードに絡まり大変危険である。
【考案の開示】
【考案が解決しようとする課題】
【０００３】  夜間街灯のない暗いところで犬の散歩をしている人に出会っても暗いためリードが見えない。
【課題を解決するための手段】
【０００４】  本考案は、リードに光が当たると、光を反射する物質をリード上に付ける。
【考案の効果】
【０００５】  夜間、リードに光が当たると、リードに付いている反射物のために光が反射し、リードの存在を知らせる。
【考案を実施するための最良の形態】
【０００６】  リード上に光を反射する物質のついているテープ等を巻きつける。
【実施例】
【０００７】  リード上に図１Ａのように光を反射する物質の付いているテープ等を巻きつける。
【産業上の利用可能性】
【０００８】  夜間犬の散歩をしていても、リード上に反射する物体がついているので、光が当たると、その光を反射し、犬やリードの位置を相手に知らせることができるので、犬と散歩させている人と、光を発射した人の危険を避けることができ、安全に通行できる。
【図面の簡単な説明】
【０００９】
【図１】側面図
【符号の説明】
【００１０】  Ａ、リード本体
Ｂ、反射物（テープ等）
【図１】
0003131333.tif 000003
(57)【要約】      （修正有）【課題】該シールを例えばコップに貼り付けて翅が開くようにする。【解決手段】該シール２に施された折罫と裏面に塗布された粘着のりによって、例えばコップ１に貼られると絶妙なバランスによって、翅が開く。【選択図】図１
0003131371.tif 000002
【実用新案登録請求の範囲】
【請求項１】
シールの両面にイラスト、文字、写真等が印刷されており該シール表面中央部には折罫を施し、その同一の位置で裏側該シールには粘着のりで幾度も脱着可能なのりを塗布して或る開翅シールです。
【考案の詳細な説明】
【技術分野】
【０００１】本考案は装飾シールで、粘着のりと折りそして紙の性質を応用した装飾品です。
【考案の開示】
【考案が解決しようとする課題】
【０００３】紙を二つに折り曲げても自然に開く性質を見過ごしていました。
【課題を解決するための手段】
【０００４】粘着のりを折罫の裏面に塗布することにより該シールを例えばコップに貼り付けた場合該シールが貼り付いたまま約９０°開く。
【考案の効果】
【０００６】該シールを例えばコップに貼ることによって蝶が翅を広げて休んでいるかのような雰囲気良効果を引き起こす。
【実施例】
【０００８】該シール２を折罫３に沿って二つに折り曲げます。その時該シール２ののり面４が外側になるように折り曲げそのままの状態で例えばコップ１に押し付けて貼ります。
のり４がコップ１に付いたのを指の感触で確認してから、手を放します。
貼られた該シールは翅イと翅ロを９０°ほど開いて静止します。
【図面の簡単な説明】
【０００９】
【図１】本考案の開翅シールの取り付けた状態の正面図です。
【図２】本考案の開翅シールの取り付けた状態の側面図です。
【図３】本考案の開翅シールの正面図です。
【図４】本考案の開翅シールの裏面図です。
【符号の説明】
【０００１０】１．・・・コップ
２．・・・開翅シール
３．・・・折罫
４．・・・のり
イ．・・・翅
ロ．・・・翅
【図１】
0003131371.tif 000003
【図２】
0003131371.tif 000004
【図３】
0003131371.tif 000005
【図４】
0003131371.tif 000006
(57)【要約】      （修正有）【課題】簡易で、容易に拾いあげることができ、且つ静止させることを可能にし、プレーを妨害しない装置とヘッドに半球形のくぼみを有するグランドゴルフ用クラブを提供する。【解決手段】非打撃フェース３ａに設けられた円形のくぼみをもつ半球形ボール受け凹部４と球すくい上げ装置を備え、該ボールすくい上げ装置５はショベル部５ａとショベル嵌合部５ｂとで一体化され、ショベル部は可撓性を有する金属製で樋状構造をなし、底面は内側に軽く湾曲し、ショベル嵌合部に嵌合されショベル部受けピンで固定される、球すくい上げ装置と上記凹部との連携によりボールをすくい上げることができ且つ静止させることができるグランドゴルフ用クラブが提供される。【選択図】図１
0003131377.tif 000002
【実用新案登録請求の範囲】
【請求項１】
非打撃フェース３ａに設けられた円形のくぼみをもつ半球形ボール受け凹部４とボールすくい上げ装置を備え、該ボールすくい上げ装置５はショベル部５ａとショベル嵌合部５ｂとで一体化され、ショベル部は可撓性を有する金属製で樋状構造をなし、底面は内側に軽く湾曲し、ショベル嵌合部に嵌合されショベル部受けピンで固定される、ボールすくい上げ装置と上記凹部との連携によりボールをすくい上げることができ且つ静止させることができるグランドゴルフ用クラブ
【考案の詳細な説明】
【技術分野】
【０００１】  本考案は、ボールをすくい上げ且つ静止させることを可能にしたグランドゴルフ用クラブに関するものである。
【背景技術】
【０００２】  従来は、スティックを使用する種々の競技において、ボールを拾い上げるのに、競技者が腰を屈める必要のない、腰痛、膝痛を防止するための様々な考案がなされてきた。例えば、下記のものはいずれもゲートボール用パターに関し、ボールをすくい上げるためのフォーク部を備えた実用新案公告平６−３０２１５号、ボールを打つヘッド底部にボールを挟み込む保持具を備えた実用新案公開公報平１−１２６２７１号、更にヘッド底部にボールを保持しリリースする複雑な装置を備えた特許公開公報平１０−８０５０８号等がある。
【考案の開示】
【考案が解決しようとする課題】
【０００３】  競技者が高齢者、腰痛者や身障者である場合などに、ボールを拾い上げるのが困難でありゲームに参加するのが困難であった。この課題を解消するために簡易で、ボールを容易にすくい上げることができ且つ静止させ、プレーの際は、容易に格納できてプレーの妨げにならない装置及び構造を備えたグランドゴルフ用クラブを提供するものである。【０００４】  本考案は、特にグランドゴルフの場合に使用される特有のヘッド部の形状に着目してなされたものである。グランドゴルフの打撃面（以下「打撃フェース」と称す）は平坦で、木製であるため、ゲートボールのようなハンマー型円柱形のヘッドとは異なるため、特殊のボールすくい上げ装置ですくい上げボールをそこに戴置、静止させるため、非打撃面（以下「非打撃フェース」と称す）を削り凹部を形成させたものである。その凹部とボールをすくい上げる装置との連携によりボールをすくい上げ、静止させることができ、更に本装置は容易に格納できプレーの妨げとはならない。
【課題を解決するための手段】
【０００５】  本考案は、ボールを打つ場合は、図１に示すように右打ちの人が使用するのはグラウンドゴルフ用クラブのヘッド部２の打撃フェース３ｂであり、右打ちの人が使用する打面の裏面、即ち非打撃フェース３ａに円形のくぼみをを持つ半球形ボール受け凹部４を設け、更にボールすくい上げ装置５を非打撃フェース側に取り付け、当該ボールすくい上げ装置ですくい上げたボールを安定して収まるようにした。左打ちの人の場合は、その逆となり現打撃フェース３ｂ側に円形のくぼみが作られることになる。【０００６】  ヘッドの非打撃フェース３ａに円形のくぼみをもつ半球形ボール受け凹部４の直下にボールすくい上げ装置５を取り付け、該ボールすくい上げ装置５はショベル部５ａとショベル嵌合部５ｂからなり、ショベル部５ａは、樋状の構造（ブックスタンド型）を有し、溝の底面は内側に湾曲し、ボールをすくい上げ易く且つボールが収まり易い構造を有している。ショベル部５ａは、金属などの可撓性を有する薄い材質であればよく、内側に撓ませて、ショベル嵌合部に反発力を利用してはめ込むことができ、ショベル部受けピンで固定されるようにしてある。更にショベル部は、ボールのすくい上げ以外の場合には下側から上に９０度倒して非打撃フェースに密着、格納できるようにした。ショベル嵌合部５ｂは、ショベル部の受け手としてショベル部を嵌合する機能と、クラブヘッド部へ固定できる構造を有している。【０００７】  半球形ボール受け凹部は、正面から見た円の大きさは、４．５〜６ｃｍ位の直径を有すれば十分である。凹部の深さは約１．５ｃｍほどである。ショベル部の構造は、ボールをすくい上げる樋の溝部がフェースより約１．５〜２ｃｍほど突き出た長さである。溝底面から垂直に立ち上がっている両側面耳部の高さは約１ｃｍである。
【考案の効果】
【０００８】  高齢者、腰痛者や身障者等が、ボールを拾い上げるのを容易にすることができ、ショベル部６ａと半球形ボール受け凹部４との連携により球受けを容易にする。更に、ショベル部は容易に格納できてプレーの妨げにならない利点を有する。
【図面の簡単な説明】
【０００９】
【図１】  グランドゴルフ用クラブ斜視図
【図２】  グランドゴルフ用クラブ立面図
【図３】  グランドゴルフ用クラブ平面図
【図４】  グランドゴルフ用クラブ側面図
【図５】  ショベル部斜視図
【図６】  ショベル嵌合部斜視図
【符号の説明】
【００１０】１：  シャフト部
２：  ヘッド部
３ａ：  非打撃フェース
３ｂ：  打撃フェース
４：  半球形球受け凹部
５：ボールすくい上げ装置
５ａ：ショベル部
５ｂ：ショベル嵌合部
６ａ：ショベル嵌合部取り付け部
６ｂ：ショベル嵌合部取り付け部
７ａ：ショベル部受けピン
７ｂ：ショベル部受けピン
【図１】
0003131377.tif 000003
【図２】
0003131377.tif 000004
【図３】
0003131377.tif 000005
【図４】
0003131377.tif 000006
【図５】
0003131377.tif 000007
【図６】
0003131377.tif 000008
(57)【要約】【課題】  通常、家庭用具は主目的に集中して工夫されて作られている。そのため使用中、使用後、の用具に対する配慮が充分でないものが多い。結果的に、使用中の一時的な中断による用具の処置に困るケースやそれによって生じる柄の部分の汚れが起こりやすい。又、使用後の収納においても不便さがあり、非衛生、不安定等の問題がある。本考案はこの欠点を解決しようとするものである。【解決手段】  当該用品柄部分にＳ字型の曲りを一体的に作り、飲食や調理中、及び清掃，洗浄時に、容器の縁にフック出来るように考案し前述の課題を解決している。【選択図】  図２
0003131375.tif 000002
【実用新案登録請求の範囲】
【請求項１】
飲食用スプーン柄部分に一体的にS字型の曲がりを付け、中空容器に当該器具が沈殿する事を防止し、汚れや不衛生になることを阻止する事を特徴とするＳ字型柄をもつ家庭用具。
【請求項２】
調理用スプーン柄部分に一体的にＳ字型の曲がりを付け、中空容器に当該器具が沈殿する事を防止し、汚れや不衛生になることを阻止する事を特徴とするＳ字型柄をもつ家庭用具。
【請求項３】
身の洗浄または清浄用具柄部分に一体的にＳ字型の曲がりを付け、中空容器に当該器具が沈殿する事を防止し、汚れや不衛生になることを阻止する事を特徴とするＳ字型柄をもつ家庭用具。
【請求項４】
バター又は類似のものを形成する道具柄に一体的にＳ字型の曲がりを付け、中空容器に当該器具が沈殿する事を防止し、汚れや不衛生になることを阻止する事を特徴とするＳ字型柄をもつ家庭用具。
【請求項５】
ビン又は類似の中空容器の洗浄具柄に一体的にＳ字型の曲がりを付け、中空容器に当該器具が沈殿する事を防止し、汚れや不衛生になることを阻止する事を特徴とするＳ字型柄をもつ家庭用具。
【請求項６】
請求項１、請求項２、請求項３、請求項４、請求項5に記載するＳ字型柄をもつ家庭用具。
【考案の詳細な説明】
【技術分野】
【０００１】
本考案は、Ｓ字型柄を一体的に作ったＳ字型柄をもつ家庭用具に関する
ものである。
【背景技術】
【０００２】
ジャムやバター、蜂蜜を掬い取った際、スプーンは横に置くか容器に突き刺すのが通常で、柄の部分にジャムや蜂蜜が付着するケースが多い。又、調理器具として使用される柄杓型スプーンでも、スープやサラダを掬い取った際に、同様の不具合がある。歯ブラシ、トイレ、風呂等の身の洗浄や清掃用具柄においても同様である。
【特許文献１】特開平７−１１１９１５号  公報
【特許文献２】実開平６−９５７０
【考案の開示】
【考案が解決しようとする課題】
【０００３】
飲食使用時及び調理使用時にスプーンが中空容器に倒れ込むことや沈殿する事を防止し、歯ブラシ、トイレ、風呂等の身の洗浄や清掃用具柄においても同様、家庭用具の柄が汚れや不衛生になることを解決しようとするものである。
【課題を解決するための手段】
【０００４】
本考案は、飲食用家庭用具柄、調理用家庭用具柄、身の洗浄または清浄用具柄、バター又は類似のものを形成する道具柄、ビン又は類似の中空容器の洗浄具柄などに、Ｓ字型の曲がりを一体的に付けた家庭用具である。このような構成にすることで、中空容器に当該器具が沈殿する事を防止し、汚れや不衛生になることを阻止し、一体的に作られたＳ字型の曲がりが中空容器の縁に容易にフック出来るようにされたＳ字型柄をもつ家庭用具によって問題点を解決している。
【考案の効果】
【０００５】
上述の様に、本考案の一体的に作られたＳ字型柄をもつ家庭用具を使用する事により、飲食・調理中にスプーンや柄杓が容器内に落ち込むことや倒れて汚れが付着することが無くなり、歯ブラシ、トイレ、風呂等の身の洗浄や清掃用具柄においても同様、家庭用具の柄が汚れや不衛生になることを防止し、結果、容易な収納が可能で、衛生的にも非常に役立つ。
【考案を実施するための最良の形態】
【０００６】
製造工程において、家庭用具柄に一体的にＳ字型のまがりを付けることで機能的に多くの可能性が生まれる。ストッパーの役目、握りの役目、安定性、衛生的等である。加えて生産面においても、合理的でコストを安くすることができ、外観的にもＳ字型の曲線には違和感が無く、多くの家庭用具柄に適用される可能性がある。  
【０００７】
以下、添付図面に従って一実施例を説明する。
図４、は飲食中のジャム容器に該スプーンをフックしたものである。容器の縁にフックすることは簡単で、深くスプーンが入り込むことを防ぎ、握り部分を汚すことが無い。
【０００８】
図５、はスープ鍋に調理用柄杓（スプーン）をフックしたものである。深さも有り落ち込む事や倒れ込む事があるところを、当該器具のＳ字型ストッパーがそれを防止している。
【０００９】
図６、は収納具に使用後の歯ブラシをフックしたものである。ブラシ部分が触れ合うことや底に沈殿して不衛生になることを防止している。
【図面の簡単な説明】
【００１０】
【図１】一実施形態の側面図である。
【図２】図１の主要部の拡大部分を示す図である。
【図３】図２の拡大部分説明図である。
【図４】一実施例１、ジャム容器にＳ字型柄スプーンを示す図である。
【図５】一実施例２、調理用鍋にＳ字型柄スプーンを示す図である。
【図６】一実施例３、収納カップに示Ｓ字型柄スプーンを示す図である。
【符号の説明】
【００１１】
１    スプーンと柄の部分の間で、一体的に作られたＳ字型曲線
２    柄とスプーンの部分の間で、一体的に作られたＳ字型曲線
３    スプーンへ
４    柄部分へ
【図１】
0003131375.tif 000003
【図２】
0003131375.tif 000004
【図３】
0003131375.tif 000005
【図４】
0003131375.tif 000006
【図５】
0003131375.tif 000007
【図６】
0003131375.tif 000008
【手続補正書】
【提出日】平成19年2月6日(2007.2.6)
【手続補正１】
【補正対象書類名】明細書
【補正対象項目名】００１０
【補正方法】変更
【補正の内容】
【００１０】
【図１】一実施形態の側面図である。
【図２】図１の主要部の拡大部分を示す図である。
【図３】図２の拡大部分説明図である。
【図４】一実施例１、ジャム容器にＳ字型柄スプーンを示す図である。
【図５】一実施例２、調理用鍋にＳ字型柄スプーンを示す図である。
【図６】一実施例３、収納カップにＳ字型柄歯ブラシを示す図である。
【手続補正書】
【提出日】平成19年2月28日(2007.2.28)
【手続補正１】
【補正対象書類名】実用新案登録請求の範囲
【補正対象項目名】請求項６
【補正方法】変更
【補正の内容】
【請求項６】
請求項１、請求項２、請求項３、請求項４又は請求項５のいずれか一項に記載するＳ字型柄をもつ家庭用具。
(57)【要約】      （修正有）【課題】下げる物品が身体の脇下にあっても滑車の原理で荷重均衡作用によりベルトが移動し両肩に均等な荷重がかかることを可能とした両肩均等荷重ショルダ−ベルトの提供。【解決手段】ショルダ−バック等身体の脇下に下げるためのショルダ−ベルトをベルト片端で折り返しフック部品にベルトを折り返し引き通し、往復２本の間で自在に動くよう形成し、荷重が大きくなった場合などはショルダ−ベルトを両肩に掛け替えることにより、片方の肩部のみへの荷重負担による肩痛などに役立つ。【選択図】図１
0003131376.tif 000002
【実用新案登録請求の範囲】
【請求項１】
ショルダ−バック等身体の脇下に物品を下げるためのショルダ−ベルトをベルト片端にベルト折り返し用の摩擦の少ないフック部品を設け、ベルトを折り返し引き通し一体化して両肩にも同時に掛けられる往復二本のショルダ−ベルトとし、バック等下げる物品本体は身体の脇下に位置したままベルトを両肩に背負うことで荷重の均等作用によりベルトが自在に動き両肩に均等な荷重負荷を可能としたことを特徴とする両肩均等荷重ショルダ−ベルト。
【考案の詳細な説明】
【技術分野】
【０００１】  本考案はショルダ−ベルト片端にベルト折り返し用のベルト摩擦の少ないフック部品（下げる物品本体に取り付けるためのフック部品）を取り付け、その中にショルダ−ベルトを折り返し引き通して一体化して二本とし、両肩同時に掛けることにより両肩へ荷重移動が行われる両肩均等荷重ショルダ−ベルトに関するものである。
【背景技術】
【０００２】  ショルダ−バック等物品を身体の脇下に下げる場合は通常一方の肩にショルダ−ベルトを固定して使用するため、一方の肩のみに荷重負荷が掛かっていた。
【考案の開示】
【考案が解決しようとする課題】
【０００３】  ショルダ−バック等物品を身体の脇下に下げるものは多種多様であるが、大きな荷重がかかる場合、従来の方法では肩の直下へ物品を下げた場合又はたすき掛けで下げた場合のいずれも一方の肩部に大きな荷重がかかるため、肩部の痛み、重心をとるための体の傾斜などによる全身への負担等で健康上好ましくないことや、身体の運動性からも問題がある。
【課題を解決するための手段】
【０００４】  本考案は、ショルダ−バック等身体の脇下に下げるためのショルダ−ベルトを通常使用されている下げる物品にフック部品で固定するのではなく、ベルト片端のフック部品にベルトを折り返し引き通して一体化し、往復２本となったベルトが自在に動くことを可能とするよう改善したものである。荷重が大きくなった場合などはショルダ−ベルトを両肩に掛け替えることにより、下げる物品が身体の脇下にあっても滑車の原理で荷重均衡作用によりベルトが移動し両肩に均等な荷重がかかることを可能とした両肩均等荷重ショルダ−ベルトに関するもので、片方の肩部のみへの荷重負担による肩痛などの問題点を解決しようとするものである。
【考案の効果】
【０００５】  上述のように、ショルダ−ベルトを脇下へ下げる物品の荷重の状況により両肩に掛け替え、両肩に均等の荷重が掛かるよう考案したもので、一方の肩部のみに掛かる重圧による肩の痛み、全身への負担、身体運動性などの問題を解決しショルダ−ベルトの利用価値を高めている。
【考案を実施するための最良の形態】
【０００６】  ショルダ−ベルトは、脇下へ下げる物品荷重を両肩へ均等にかけるために、右肩へ掛けるベルトと左肩へ掛けるベルトをベルト片端でベルト摩擦が少なく滑り効果の高いフック部品の中を折り返し引き通して一体的に往復２本の状態に形成する。こうすれば滑車の原理で左肩と右肩間の荷重移動は容易に行われ、荷重は均等となって両肩のショルダ−ベルトへそれぞれ二分の一に荷重分散される。一方の肩のみへベルトを掛ける場合も同様にベルト長が均等となり取り扱い易い。ベルト両端で引き通しにするとベルトが動きすぎてしまい扱いにくいのでもう一方の片端はベルトが動かないフック部品とする。両肩に掛けるとベルト長が変化しバック等下げる本体が上に持ち上げられ脇下が窮屈になるのでバック長は余裕を持たせたうえ長さ調節用のバックル等を取り付けて形成する。両肩掛けの場合、バックを直下に下げた側の肩ベルトが肩からずり落ちることを防止するため身体背面肩部で、もう一方のたすき掛けのベルトへベルト固定帯を設け取り外し自在のホック止めなどを行う。またベルトの両肩部には肩保護及びずれ防止のため肩当てを設けて形成する。
【実施例１】
【０００７】  以下、添付図面に従って一実施例を説明する。図１は両肩均等荷重ショルダ−ベルトの全体構成図である。両肩に掛ける場合は２本を別々に使用し、片肩に掛ける場合は２本重ねて使用するがこの場合２本間のベルト長の調節は自動的に行われる。図２はベルト折り返しフック部品であるがベルト折り返し部に回転する部品を設け摩擦を最小限にしてベルトが容易に動くよう考案したものであり脇下へ下げる物品本体への取り付けフックも兼ねる。
【図面の簡単な説明】
【０００８】
【図１】両肩均等荷重ショルダ−ベルトの全体構成斜視図である
【図２】ベルト折り返しフック部品であり下げる物品本体への取り付けフック部品斜視図である。
【符号の説明】
【０００９】  １  ショルダ−ベルト本体
２  ベルト折り返しフック部品
３  ベルト止め用フック部品
４  ベルト長調節用バックル
５  ベルト固定帯
６  肩当て
７  ベルト折り返し部の回転輪
８  下げる物品本体への取り付けフック
【図１】
0003131376.tif 000003
【図２】
0003131376.tif 000004
(57)【要約】      （修正有）【課題】外反母趾による親指の重なりを治し、親指足根骨のよじれを治し、腰痛やギックリ腰の予防をすることを提供する。【解決手段】スリッパ９に矯正具８を取り付け矯正具８に矯正具の山部５、矯正具の横アーチ、縦アーチを設け、矯正具８の表面に、親指骨１、親指足根骨２、次の指骨３、次の指足根骨４の位置を表示したことを特徴とした外反母趾矯正スリッパ。【選択図】図４
0003131378.tif 000002
【実用新案登録請求の範囲】
【請求項１】
スリッパ（９）に矯正具（８）を取り付け、矯正具（８）に矯正具の山部（５）、矯正具の横アーチ型（６）、矯正具の縦アーチ型（７）、の位置を設け、矯正具（８）の乗る足表面に、親指骨（１），親指足根骨（２）、次の指骨（３）、次の指足根骨（４）、の位置を示した事を特徴とした外反母趾矯正スリッパ。
【考案の詳細な説明】
【技術分野】
【０００１】  本考案は外反母趾による、親指並びに親指足根骨のよじれを矯正する為の外反母趾矯正スリッパに関する物である。
【背景技術】
【０００２】  従来、足に無理のかかる靴を履き続け、足の親指骨（１）と親指足根骨（２）が、よじれを起こしてなる外反母趾を治す為のものとして作られている物は多々あった。
足の痛みを和らげる為の柔らかい当て物や部分的に丸型のものが取り付けられている物が多く見られ、その他、足の指間に挟みこむ物や、引っ張る物など有る。
親指下の親指足根骨（２）と次の指足根骨（４）の間を図２、図３、の様に横アーチ、縦アーチの形で押上げる様な物は見当たらない、例えば次の様な物はあった
【特許文献１】  特許第２６１６８４６号広報
【特許文献２】  特開平８−２９９０１６
【考案の開示】
【考案が解決しようとする課題】
【０００３】  その為に次の様な問題点があった
（イ）靴により足指幅をおさえつけられる。
（ロ）幅のある靴を履くと良いと言われても中々履きたがらない
（ハ）スリッパを履きながら治す事が少ない
（ニ）靴の中敷きや、スリッパに外反母趾用の山形で足根骨から土踏まずへ続く横アーチ縦アーチ型の矯正具は見当たらない
【課題を解決するための手段】
【０００４】  スリッパ（９）に矯正具（８）を取り付ける
矯正具（８）に矯正具の山部（５）、矯正具横アーチ（６）、縦アーチ（７）、を設ける
矯正具（８）、の表面に、親指骨（１）、親指足根骨（２），次の指骨（３），つぎの指足根骨（４）、の位置を表示する。
【考案の効果】
【０００５】  図２、図３に見るように横アーチ、縦アーチ、に支えられ親指骨（１）と親指足根骨（２）のよじれは外反母趾矯正スリッパの使用により徐々に重なっていた親指も足根骨のよじれも解消されて行く。
外反母趾矯正スリッパは足の痛みを和らげるだけでなく変形してよじれを起こした足を根本から治す三次元的なものである
蘇生ＥＭセラミックス配合により抗菌性、消臭性、消炎性を併せ持つ新規性、進歩性がある。
親指骨（１）と親指足根骨（２）のよじれを、次の足指骨（３）と次の指足根骨（４）とに間を矯正具の山部（５）が押し仕上げる事で徐々に正して行き、腰痛やギックリ腰も起こりにくくなる。
スリッパに取り付けた外反母趾用の矯正具はその山部（５）の位置が、親指骨（１）から親指足根骨（２）のよじれを次の指骨（３）から次の指足根骨（４）との間に当たる様にする事で、横アーチに指の付け根を押し上げて、指間にゆとりを出し、縦アーチに押上げて親指骨から親指足根骨のよじれを徐々に治し、改善されて行く
更に、足根骨から土踏まずにかけて、矯正具は、縦アーチを描いて足の裏にあたる事で足裏も安定して、健康を保つ事が出来る。
【考案を実施するための最良の形態】
【０００６】  以下本考案の形態を説明する
スリッパ（９）に矯正具（８）を取り付け、矯正具（８）には、矯正具の山部（５）、矯正具の横アーチ型（６）、矯正具の縦アーチ型（７）の部位がそれぞれの特徴を持ってなる外反母趾の矯正スリッパ
本考案は以上のような構成である。
本考案を使用するときは、外反母趾矯正スリッパを履く事により親指骨（１）及び親指足根骨（２）のよじれを治す事を特徴とする外反母趾矯正スリッパで、靴に取り付けて使用する事も良い。
最近の靴のソールは平らで無いものが多いので取り付けには平らのものを選ぶようにする。
外反母趾は足に合わない靴を履き続けて足幅を押さえ付けられて、足の指や足根骨がよじれを起こして変形し、長年にわたり更に進むと腰痛やギックリ腰を起こすといわれる物である、そのよじれを徐々に治す為に、足指の付け根を図２のように山形の横アーチに押し上げる事で指間を楽にし、親指骨の乗る位置は親指骨の丸みに沿わせて少し逆カーブの舟底型にし、親指骨の位置を安定させる、親指と次の指の付け根に矯正具（８）の先端を合わせ、土踏まずの方向へ親指足根骨（２）と次の指足根骨（４）の間が、矯正具の山部（５）に乗る様になり、縦アーチを描いて矯正具は作られスリッパ（９）に矯正具（８）は取り付けられる外反母趾矯正スリッパである。【０００７】  本考案の外反母趾矯正スリッパの矯正具（８）は靴底型を小型にしたような形をしており、山形に立体的で足の指付け根の位置から土踏まずの位置へかけて全長約１２ｃｍで作られる、幅は親指骨の乗る位置が一番広く約４．５ｃｍとし、矯正部の山部（５）の位置が高さ約１．２ｃｍ位で一番高く、土踏まずの方へ緩やかに下がって土踏まずの位置で約０．８ｃｍの高さとなり後部へ０ｃｍに消える、、横幅の一番広い位置の親指骨側から三分の一の所で、指付け根の先端から約２．５ｃｍ下がった位置が一番高く、親指骨と次の指骨の間の位置に当たる、尚、親指骨の乗る位置（１０）は少しえぐれた舟底型になり、矯正具が足に馴染み易くなる、土踏まずの位置では、横幅が約３ｃｍで、土踏まずの足の内側が一番高く、外側へゆるやかな膨らみを持たせて０ｃｍに消える。【０００８】  本考案の矯正具はスリッパに足の乗る位置で、親指と次の指の付け根の間に、矯正具の丸みの先端が来るように取り付け、下の土踏まずの位置ではスリッパの内側で０．７ｃｍ離して、土踏まずの下の方を取り付ける、外反母趾の足が片方だけでも、体のバランスを壊さぬように、左右相対で使用する
【図面の簡単な説明】
【０００９】
【図１】本発明の指骨と指足根骨の説明図である。
【図２】本発明の足先の前面図である
【図３】本発明の足の側面図である
【図４】本発明のスリッパに取り付けた矯正具の足との位置を示した説明図である
【符号の説明】
【００１０】    １    親指骨
２    親指足根骨
３    次の指骨
４    次の指足根骨
５    矯正具の山部
６    矯正具の横アーチ型
７    矯正具の縦アーチ型
８    矯正具
９    スリッパ
１０  親指骨の乗る舟底型の位置
【図１】
0003131378.tif 000003
【図２】
0003131378.tif 000004
【図３】
0003131378.tif 000005
【図４】
0003131378.tif 000006
(57)【要約】      （修正有）【課題】ペレットストーブから出て来る煤塵を捕集することによって環境汚染を減少し、また、火の粉の排出を無くすことによって火災の危険を回避する。【解決手段】ペレットストーブから出て来る煤塵を捕集するために、円筒状あるいは円錐状の容器の下部に水を張り、その容器の蓋の周辺部に排気ガスを通すために排気導入管を挿入し、その容器の円周にそって水平に出口を配置し、排気ガスを回転運動させながら降下させ、また、その容器の蓋の中央部に挿入しかつ中心軸にそって鉛直方向に設置した排気管を通して、排気ガスを上昇させ排出する、という構成からなっている。【選択図】図１
0003131380.tif 000002
【実用新案登録請求の範囲】
【請求項１】
円筒状あるいは円錐状の容器の下部に水を張り、その容器の蓋の周辺部に排気ガスを通す排気導入管を挿入し、その容器の円周にそって水平に出口を配置し、また、その容器の蓋の中央部に排気管を挿入し、その中心軸にそって鉛直方向に設置した、ペレットスト−ブ用の煤塵捕獲装置。
【考案の詳細な説明】
【技術分野】
【０００１】  この考案は、円筒状あるいは円錐状の容器の下部に水を張り、かつ、回転運動（サイクロン）を用いた、ペレットストーブの煤塵を捕獲する装置に関するものである。
【背景技術】
【０００２】  ペレットストーブは、木質固形燃料（ペレット）を燃焼するので、そこから出て来る煤塵を含む排気ガスの処理を必要とする。
（イ）煤塵を含む排気ガスを排気管に集め、それを屋外に引き出し、煙突を立てたり、または、そのまま排出することが多い。
（ロ）これは、簡易な処理であるが、その反面、煤塵に伴って火の粉を排出することにもなるので、煤塵による環境汚染になるし、また、火災の危険もある。【０００３】（ハ）一般的には、煤塵を水面に当てる（フィルター）処理、または、煤塵を回転運動させる（サイクロン）処理が試みられている。
（ニ）しかし、これらは、いずれも、単独で用いると不十分となる。前者は、煤塵を捕集する割合（集塵率）が低いし、また、後者は、捕集された煤塵の中に火の粉が入りやすく、火災の危険が生ずるからである。
【考案の開示】
【考案が解決しようとする課題】
【０００４】  この考案が解決しようする問題点は、次の通りである。
（イ）ペレットストーブから出て来る煤塵を捕集する割合（集塵率）を高めて、環境汚染を減少することである。
（ロ）ペレットストーブから出て来る煤塵に伴う火の粉の排出を無くし、火災の危険を回避することである。
【課題を解決するための手段】
【０００５】  この考案が解決する手段は、次の通りである。
（イ）ペレットストーブから出て来る煤塵を捕集するために、円筒状あるいは円錐状の容器（１）の下部に水（１０）を張る。
（ロ）その容器（１）の蓋（２）の周辺部に排気ガスを通す排気導入管（４）を挿入し、その容器（１）の円周にそって水平に出口（６）を配置し、排気ガスを回転運動させながら降下させる（１１）。
（ロ）その容器（１）の蓋（２）の中央部に挿入し、かつ、その中心軸にそって鉛直方向に設置した排気管（７）を通して、排気ガスを排出させる（１１）。
【考案の効果】
【０００６】  この考案の効果は、次の通りである。
（イ）ペレットストーブから出て来る煤塵は、空気より重いために、回転運動により円筒状の壁に衝突し、または、水面に当たることによって落下し捕集される（１２）。
（ロ）したがって、排気管（７）から煤塵や火の粉はほとんど出て来なくなる。
【最良の実施例】
【０００７】  この考案の最良の実施例は、次の通りである。
（イ）円筒状あるいは円錐状の容器（１）として、ペ−ル缶あるいはドラム缶の下部に水（１０）を張り、その容器（１）の蓋（２）の周辺部に排気導入管（４）を挿入し、その容器（１）の円周にそって水平に出口（６）を配置する。
（ロ）これによって、円筒状の容器（１）の円周方向に誘導された排気ガスは回転運動しながら降下し（１１）、また、円筒状の壁に衝突した煤塵は落下する（１２）。
（ハ）また、その容器（１）の蓋（２）の中央部に排気管（７）を挿入し、かつ、その中心軸にそって鉛直方向に排気管（７）を設置する。排気管（７）の入口（８）と水面の間隔を排気管（７）直径の４分の１前後とする。
（ニ）これによって、回転運動しながら降りてきた排気ガスは、水面に当たって煤塵を落下し（１２）、排気管を上昇して排出される（１１）。
【実施例】
【０００８】  この考案の実施例は、次の通りである。
（イ）ペレットストーブから出て来る煤塵を含む排気ガスを捕集するために、円筒状あるいは円錐状の容器のうち、２０リットル入りのドラム缶（１）とする。
（ロ）ドラム缶（１）の蓋（２）の周辺部に直径８０ｍｍの穴を開け、排気導入管（４）の一部をドラム缶（１）内に挿入する。ストーブから出て来る排気ガスを排気導入管（４）の入口（５）から誘導する。
（ハ）排気導入管（４）の出口（６）をドラム缶（１）の円周に沿って水平に配置する。ドラム缶（１）内の円周方向に排出された排気ガスは回転運動しながら降下し（１１）、また、ドラム缶の壁に衝突した煤塵は落下する（１２）。
（ニ）ドラム缶（１）の蓋（２）の中央部に直径８０ｍｍの穴を開け、ドラム缶（１）の中心軸に沿って鉛直方向に４０ｃｍの排気管（７）をドラム缶（１）内に半分ほど挿入する。
（ホ）ドラム缶（１）の下部に、排気管（７）の入口（８）から水面まで２０ｍｍの間隔をとるように水（１０）を張る。これ以上の過剰な水はドラム缶（１）に開けた穴（３）からオーバ−フローする。
（ヘ）回転運動をしながら降りて来た排気ガスは、水面に当たって煤塵を落下し（１２）、排気管（７）の入口（８）から上昇して、その出口（９）から排出される。
【図面の簡単な説明】
【０００９】
【図１】  本考案の装置の斜視図である。
【図２】  本考案の装置を機能からみた図である。
【符号の説明】
【００１０】  １    ドラム缶
２    ドラム缶の蓋
３    オーバ−フローの穴
４    排気導入管
５    排気導入管の入口
６    排気導入管の出口
７    排気管
８    排気管の入口
９    排気管の出口
１０    水
１１    排気ガスの流れ
１２    煤塵の衝突・落下
【図１】
0003131380.tif 000003
【図２】
0003131380.tif 000004
(57)【要約】【課題】  刈払機で刈払い作業をする際、刈刃の下側に装着する刈刃保護盤が地面に接触して磨耗してしまう不都合と、刈刃が地面に接触しないように地面から浮かせて作業しているので、作業者の負担になっている不都合、また、刈刃保護盤が刈払機本体に固定されているので、壁際の草刈り作業が円滑に行えない不都合を解消すること。【解決手段】  刈刃保護盤を本体と固定せずに、刈刃保護盤の下側に、刈刃の回転の影響を受けずに自由に回転する接地安定盤を装着して一体型とすることで、この問題を解決する。【選択図】図１
0003131347.tif 000002
【実用新案登録請求の範囲】
【請求項１】
刈払機の刈刃の下側に取り付けて使用し、刈刃の回転に影響されずに自由に回転する、刈刃保護盤と一体となった接地安定盤。
【請求項２】
刈払機の刈刃の下側に取り付けて使用し、刈払機本体と固定されておらず、自由に回転する刈刃保護盤。
【考案の詳細な説明】
【技術分野】
【０００１】本考案は、刈払機の刈刃の下側に取り付け、作業機能を向上させ、作業者の負担を軽減する、刈払機用刈刃保護盤一体型自在接地安定盤に関するものである。
【背景技術】
【０００２】従来、刈払機の刈刃の下側に、刈刃を石などの硬い障害物から保護するために取り付けられた刈刃保護盤は、刈払機の本体に固定されており、またその下側中心部の接地部分は、刈刃と固定されて一緒に回転するものだった。
【考案の開示】
【考案が解決しようとする課題】
【０００３】１）  しかしこれでは草刈作業中に接地部分が地面に接地した状態で高速回転するので、早く磨耗してしまう。また作業者は、できるだけ地面に刈刃が接触しないように、地面から刈刃を浮かせた状態で作業しているので、作業者の負担になっている。
２）  また、刈刃保護盤が刈払機本体と固定されているので、壁際などにおける草刈作業時、刈刃保護盤が壁に接触した際に、作業が円滑に行えず、また、細く硬い草や木などが、刈刃の刃と刈刃保護盤外周の突部との間にはさまって、刈刃の回転が止まってしまう。
【課題を解決するための手段】
【０００４】１）  刈刃保護盤の下側に接地安定盤を装着し、接地安定盤内側の中心部にベアリングを取り付ける。このベアリングを介して、刈払機の回転軸に取り付けることにより、刈刃保護盤と一体となった接地安定盤は、刈刃の回転の影響を受けずに自由に回転する。
２）  刈刃保護盤を刈払機の本体に固定せずに、接地安定盤と一体型にし、刈刃の回転の影響を受けずに自由に回転できるようにする。
【考案の効果】
【０００５】１）  従来の刈刃保護盤に較べて、接地部分が刈刃と固定されておらず、自由に回転するので、地面に接地した状態で草刈作業をしても、磨耗が少ない。また、作業者が刈刃保護盤一体型自在接地安定盤を地面に接地した状態で草刈作業ができるので、作業者にかかる負担が大幅に軽減される。
３）  従来の刈刃保護盤に較べて、刈払機本体と固定されておらず、壁際などにおける草刈作業時、刈刃保護盤が壁に接触した際に、刈刃保護盤が壁に沿って自由に回転するので、作業が円滑に行え、また、細く硬い草や木なども、刈刃の刃と刈刃保護盤外周の突部との間にはさまることはない。
【考案を実施するための最良の形態】
【０００６】本考案に係る刈払機用刈刃保護盤一体型自在接地安定盤１は、図１のように中心部の取り付けボルト２が地面に接触して損傷しないように、安定盤の中央部に平らな窪みが形成されている。安定盤内側の中心部にベアリング３が取り付けられており、安定盤は、このベアリングを介して刈払機の回転軸ｂに取り付けられるので、刈刃ａの回転の影響を受けずに自由に回転する。
安定盤の高さは、低過ぎると刈刃が地面に接触しやすくなり、高過ぎると草が短く刈れないので、適度な高さとする。
刈刃保護盤ｃは、刈払機本体４とは固定されておらず、自在接地安定盤５と一体型になって、自由に回転する構造とする。また刈刃保護盤ｃの外周は、刈刃が壁などの障害物に当たって損傷しないように、刈刃ａの外周より少し大きくする。
刈払機への取り付け方法は、中心部の取り付けボルト２のみで容易に着脱可能な構造とする。
材質は、刈刃保護盤・自在接地安定盤ともに錆びにくく、薄い金属板で、長期間硬い障害物や地面に接触しても磨耗しない強度のあるもので、一体成型が望ましい。
【図面の簡単な説明】
【０００７】
【図１】本考案に係る刈払機用刈刃保護盤一体型自在接地安定盤を刈払機の刈刃の下側に装着した状態の断面図である。
【図２】本考案に係る刈払機用刈刃保護盤一体型自在接地安定盤を刈払機の刈刃の下側に装着した状態の下側から見た平面図である。
【図３】従来の刈払機用刈刃保護盤を刈払機の刈刃の下側に装着した状態の断面図である。
【符号の説明】
【０００８】１    刈払機用刈刃保護盤一体型自在接地安定盤
２    取り付けボルト
３    ベアリング
４    刈払機本体
５    自在接地安定盤
ａ    刈刃
ｂ    回転軸
ｃ    刈刃保護盤
ｄ    従来の刈払機用刈刃保護盤
【図１】
0003131347.tif 000003
【図２】
0003131347.tif 000004
【図３】
0003131347.tif 000005